(57)【要約】【課題】容易にＩＣカード発行に関する仕様及び発行行程の設定を行うことが可能な利便性の高いＩＣカード発行設計システムを提供する。【解決手段】ＩＣカードを発行するために複数の項目について仕様を設定するＩＣカード発行設計システム１であって、実現可能な発行仕様、排他的制限、発行仕様実績などの実現可能な仕様を記憶するサーバ１０と、発行仕様を入力するキーボード２２と、記憶部１４に記憶されている実現可能な仕様に基づいて、入力可能な仕様を制限するなど、営業担当者によるキーボード２２からの仕様の入力をガイドする制御部１３とを備えることを特徴とする。【選択図】図２
2005070925.tif 000002
【特許請求の範囲】
【請求項１】
ＩＣカードを発行するために複数の項目について仕様を設定するＩＣカード発行設計システムにおいて、
前記各項目における実現可能な仕様を記憶する仕様記憶手段と、
前記複数の項目についての仕様を入力する仕様入力手段と、
前記仕様記憶手段に記憶されている仕様に基づいて、仕様入力者による前記仕様入力手段からの仕様の入力をガイドするガイド手段とを備えること、
を特徴とするＩＣカード発行設計システム。
【請求項２】
請求項１に記載のＩＣカード発行設計システムにおいて、
前記仕様記憶手段は、一の項目における実現可能な仕様が他の項目において設定された仕様によって受ける制限である排他的制限を記憶し、
前記ガイド手段は、前記排他的制限に基づいてガイドを行うこと、
を特徴とするＩＣカード発行設計システム。
【請求項３】
請求項１又は請求項２に記載のＩＣカード発行設計システムにおいて、
前記仕様記憶手段は、前記複数の項目についての仕様の組合せの実績を記憶すること、
を特徴とするＩＣカード発行設計システム。
【請求項４】
請求項１から請求項３までのいずれか１項に記載のＩＣカード発行設計システムにおいて、
前記ガイド手段は、前記仕様記憶手段によって記憶されている仕様及び／又は排他的制限を前記仕様入力者に通知することによってガイドを行うこと、
を特徴とするＩＣカード発行設計システム。
【請求項５】
請求項１から請求項４までのいずれか１項に記載のＩＣカード発行設計システムにおいて、
前記ガイド手段は、前記仕様記憶手段によって記憶されている仕様及び／又は排他的制限に応じて、前記入力手段によって入力可能な仕様を制限することによってガイドを行うこと、
を特徴とするＩＣカード発行設計システム。
【請求項６】
請求項１から請求項５までのいずれか１項に記載のＩＣカード発行設計システムにおいて、
前記ガイド手段は、前記仕様記憶手段に記憶されている仕様及び／又は排他的制限に基づいて、前記仕様入力手段によって入力される仕様が実現可能か否かを判定する判定手段と、前記判定手段の判定結果を前記仕様入力者に通知する判定結果通知手段とを有すること、
を特徴とするＩＣカード発行設計システム。
【請求項７】
請求項１から請求項６までのいずれか１項に記載のＩＣカード発行設計システムにおいて、
前記ＩＣカードを発行する複数の発行装置の仕様を記憶する発行装置仕様記憶手段と、
前記発行装置の稼働情報を記憶する稼働情報記憶手段と、
前記発行装置仕様記憶手段に記憶されている発行装置の仕様と、前記稼働情報記憶手段に記憶されている稼働情報と、前記仕様入力手段によって入力された仕様とに基づいて、前記ＩＣカードの発行工程を設定する発行工程設定手段とを備えること、
を特徴とするＩＣカード発行設計システム。
【請求項８】
請求項７に記載のＩＣカード発行設計システムにおいて、
発行工程の実績を記憶する発行工程実績記憶手段を備え、
前記発行工程設定手段は、前記発行工程実績記憶手段に記憶されている発行工程の実績に基づいて発行工程を設定すること、
を特徴とするＩＣカード発行設計システム。
【請求項９】
請求項７又は請求項８に記載のＩＣカード発行設計システムにおいて、
前記仕様入力手段によって入力された仕様及び／又は前記設定手段によって設定された発行工程を含む発行情報を、所定の情報処理装置が通信回線を介して読み出し可能であって、書き換えできない状態で記憶する発行情報記憶手段とを備えること、
を特徴とするＩＣカード発行設計システム。
【発明の詳細な説明】
【技術分野】
【０００１】
本発明は、ＩＣカードの発行に関する複数の項目における仕様を設定し、ＩＣカードの発行の設計を行うＩＣカード発行設計システムに関するものである。
【背景技術】
【０００２】
ＩＣカードの発行に際し、ＩＣカードの仕様などの仕様データ、個人データなどのマスタデータを依頼先システムから受け、仕様データに基づいて入稿から発行までの処理仕様を登録し、この処理仕様に基づいてマスタデータからＩＣカードの発行に必要な発行データを生成し、ＩＣカードの発行を行うことによって、発行業務の納期の短縮化・コストダウンなどを可能とするカード発行システムがある（例えば、特許文献１参照。）。
しかし、ＩＣカード発行の仕様においては、ＩＣカードにエンボスを設ける場合にはアンテナ上に設けることができない、メモリの容量を超えるアプリケーションを搭載することができないなどの制約があり、依頼先システムから受けた仕様データがこれらの制約を満たさない場合には、改めて正しい仕様データの入力を依頼先へ通知し、再度仕様データを入力しなければならず、負担がかかる可能性があった。
また、現在、ＩＣカードの発行の設計は、受注が決定した時点で、営業担当者が用途、採用アプリケーション、ＩＣ形態などのＩＣカードの発行の仕様をまとめた仕様確認シートを起票している。しかし、営業担当者は、プログラム開発部（技術部）、カード発行部（発行部）の担当者を集めた会議において、ＩＣカードの仕様が制約を満たしているかなどの確認を行わなければならず、負担がかかるとともに、ＩＣカードの発行の仕様の設定が遅れるという問題があった。
更に、ＩＣカードの発行に使用する装置（以下、「発行装置」という。）が現在空いているのか、又は、他の依頼が入っていて、使用できない状態であるのか、依頼先は、もちろん、営業担当者も確認することができない、また、ＩＣカードの発行の工程は、各部門が担当する複数の工程から構成されるため、各担当者を集めた会議においてカードの発行工程を決めなければならず、同様に、負担がかかるとともに正確な納期の設定が遅れるという問題があった。
一方、会議の負担などの問題を解消するため、営業担当者が発行装置の仕様、非接触ＩＣカードのアンテナ仕様、カード券面の仕様、カードの作成方法などの他の部門の担当者が有する知識を知っていればよいが、営業担当者にかかる負担が極端に大きくなるとともに、現実的ではない。
【特許文献１】特開平１１−１１０４９１（第２−３頁、図１）
【発明の開示】
【発明が解決しようとする課題】
【０００３】
本発明の課題は、容易にＩＣカード発行に関する仕様及び発行行程の設定を行うことが可能な利便性の高いＩＣカード発行設計システムを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。すなわち、請求項１の発明は、ＩＣカードを発行するために複数の項目について仕様を設定するＩＣカード発行設計システムにおいて、前記各項目における実現可能な仕様を記憶する仕様記憶手段（１４）と、前記複数の項目についての仕様を入力する仕様入力手段（２２）と、前記仕様記憶手段に記憶されている仕様に基づいて、仕様入力者による前記仕様入力手段からの仕様の入力をガイドするガイド手段（１３，２３）とを備えること、を特徴とするＩＣカード発行設計システム（１）である。
【０００５】
請求項２の発明は、請求項１に記載のＩＣカード発行設計システムにおいて、前記仕様記憶手段は、一の項目における実現可能な仕様が他の項目において設定された仕様によって受ける制限である排他的制限を記憶し、前記ガイド手段は、前記排他的制限に基づいてガイドを行うこと、を特徴とするＩＣカード発行設計システム（１）である。
【０００６】
請求項３の発明は、請求項１又は請求項２に記載のＩＣカード発行設計システムにおいて、前記仕様記憶手段は、前記複数の項目についての仕様の組合せの実績を記憶すること、を特徴とするＩＣカード発行設計システム（１）である。
【０００７】
請求項４の発明は、請求項１から請求項３までのいずれか１項に記載のＩＣカード発行設計システムにおいて、前記ガイド手段は、前記仕様記憶手段によって記憶されている仕様及び／又は排他的制限を前記仕様入力者に通知することによってガイドを行うこと、を特徴とするＩＣカード発行設計システム（１）である。
【０００８】
請求項５の発明は、請求項１から請求項４までのいずれか１項に記載のＩＣカード発行設計システムにおいて、前記ガイド手段は、前記仕様記憶手段によって記憶されている仕様及び／又は排他的制限に応じて、前記入力手段によって入力可能な仕様を制限することによってガイドを行うこと、を特徴とするＩＣカード発行設計システム（１）である。
【０００９】
請求項６の発明は、請求項１から請求項５までのいずれか１項に記載のＩＣカード発行設計システムにおいて、前記ガイド手段は、前記仕様記憶手段に記憶されている仕様及び／又は排他的制限に基づいて、前記仕様入力手段によって入力される仕様が実現可能か否かを判定する判定手段（１３，Ｓ１２０，Ｓ１３０）と、前記判定手段の判定結果を前記仕様入力者に通知する判定結果通知手段（２３，Ｓ１８０）とを有すること、を特徴とするＩＣカード発行設計システム（１）である。
【００１０】
請求項７の発明は、請求項１から請求項６までのいずれか１項に記載のＩＣカード発行設計システムにおいて、前記ＩＣカードを発行する複数の発行装置の仕様を記憶する発行装置仕様記憶手段（１４）と、前記発行装置の稼働情報を記憶する稼働情報記憶手段（１４）と、前記発行装置仕様記憶手段に記憶されている発行装置の仕様と、前記稼働情報記憶手段に記憶されている稼働情報と、前記仕様入力手段によって入力された仕様とに基づいて、前記ＩＣカードの発行工程を設定する発行工程設定手段（１３，Ｓ１５０）とを備えること、を特徴とするＩＣカード発行設計システム（１）である。
【００１１】
請求項８の発明は、請求項７に記載のＩＣカード発行設計システムにおいて、発行工程の実績を記憶する発行工程実績記憶手段（１４）を備え、前記発行工程設定手段は、前記発行工程実績記憶手段に記憶されている発行工程の実績に基づいて発行工程を設定すること、を特徴とするＩＣカード発行設計システム（１）である。
【００１２】
請求項９の発明は、請求項７又は請求項８に記載のＩＣカード発行設計システムにおいて、前記仕様入力手段によって入力された仕様及び／又は前記設定手段によって設定された発行工程を含む発行情報を、所定の情報処理装置が通信回線を介して読み出し可能であって、書き換えできない状態で記憶する発行情報記憶手段（１４，Ｓ１６０）とを備えること、を特徴とするＩＣカード発行設計システム（１）である。
【発明の効果】
【００１３】
本発明によるＩＣカード発行設計システムによれば、以下の効果を得ることが可能となった。
（１）組合せ実績、排他的制限などの実現可能な仕様の組合せ、実現可能な仕様を記憶し、これらを仕様入力者に通知する、これらに応じて入力可能な仕様を制限する、入力される仕様が実現可能かを判定して結果を通知するなど、これらの情報に基づいて仕様入力者による仕様入力手段からの仕様の入力をガイドすることによって、仕様入力者が容易にＩＣカード発行に関する仕様の設定を行うことを可能とし、利便性を向上する。
（２）発行装置の稼働情報、発行工程の実績を記憶し、これらの情報及び入力された仕様に基づいて発行工程を設定することによって、仕様入力者が容易に正確なＩＣカードの発行工程の設定を行うことを可能とし、利便性を向上する。
（３）所定の情報処理装置が通信回線を介して読み出し可能であって、書き換えできない状態で発行情報を記憶することによって、各部署の担当者などの複数の者が発行情報を共有するとともに、手違いによる書き換えなどを防止し、正確な発行情報を共有する。
【発明を実施するための最良の形態】
【００１４】
本発明は、容易にＩＣカード発行の仕様及び発行工程の設定を行うことが可能な利便性の高いＩＣカード発行設計システムを提供するという目的を、インターネット、ＬＡＮなどの通信回線で互いに接続されているサーバ及びクライアントを備え、クライアントがＩＣカード発行の実現可能な仕様などの種々の情報を記憶し、これらの情報の管理し、仕様入力者によるクライアントからの仕様の入力をこれらの情報に基づいてガイドすることによって実現する。
【実施例】
【００１５】
図１及び図２は、本発明によるＩＣカード発行設計システムの実施例における構成を説明するための説明図及びブロック図である。
図１に示すように、ＩＣカード発行設計システム１は、互いに電話回線、光ケーブルその他の有線、又は、赤外線その他の無線の通信回線５０で接続されているサーバ１０、営業ＰＣ２０、技術ＰＣ３０及び発行ＰＣ４０などを備え、ＩＣカードを発行するために複数の項目について仕様を設定するシステムである。
図２に示すように、営業ＰＣ２０、技術ＰＣ３０、発行ＰＣ４０は、営業部、技術部、発行部の社員がそれぞれ利用可能なコンピュータであって、通信回線５０を介した通信を媒介する通信部２１，３１，４１、利用者の指示などの情報を入力するキーボード、マウスなどのキーボード２２，３２，４２、情報を表示することによって利用者に通知を行うディスプレイ２３，３３，４３などの入出力装置と、これらの入出力装置のインターフェイスであるＩ／Ｏインターフェイス２４，３４，４４と、Ｉ／Ｏインターフェイス２４，３４，４４とバスで相互に接続されている制御部２５，３５，４５及び記憶部２６，３６，４６などとを備えている。
【００１６】
営業ＰＣ２０は、ＩＣカードの発行するために設定の必要な複数の項目についての仕様（以下、この「複数の項目についての仕様」を「発行仕様」という。）をＩＣカード発行設計システム１に入力する（後述する図５参照。）。営業担当者は、ＩＣカードの発行依頼があった場合に、営業ＰＣ２０のディスプレイ２３に表示される電子フォームである仕様確認シートの入力フォームに従って、キーボード２２を操作し、発行仕様を入力する。この入力フォームは、通信を行うことによってサーバ１０から営業ＰＣ２０へ提供される。
【００１７】
発行ＰＣ４０は、ＩＣカードの発行に使用される各種発行装置の仕様、稼働情報を記憶部４６に記憶し、各発行装置を管理している。ＩＣカードの発行には、カード表面に名前、番号、有効期限などのエンボスを形成するエンボス装置、カード上に氏名や顔写真（以下、「ＣＰ」（Ｃｏｌｏｒ  Ｐｏｒｔｒａｉｔ）という。）などのカラー印刷を施すカラー印刷装置、カード上に任意のテキスト、バーコード、指紋など（以下、「ＵＧ」（Ｕｌｔｒａ  Ｇｒａｆｉｘ）という。）のグラフィクス印刷を施すグラフィクス印刷装置、ＩＣカードのＩＣチップに個人データを書き込むＩＣ発行装置、発行されたＩＣカードを郵送するための台紙を印刷する送付台紙プリント装置など、各工程に対応する種々の発行装置が使用される。また、これら各工程に対応する発行装置には、処理性能の異なる複数の種類の発行装置がある。例えば、エンボス装置には、カナエンボスを形成可能なエンボス装置及び形成することができないエンボス装置があり、単位時間あたりの処理部数が異なる複数の種類のエンボス装置などがある。記憶部４６は、各発行装置について、種類、処理性能などの仕様を記憶している。また、記憶部４６は、各発行装置の稼働スケジュール、稼働状況などの発行装置の現在及び将来の状態を示す稼働情報を記憶部４６に記憶し、管理している。稼働状況は、発行装置との通信、現場の管理者のキーボード４３操作によって更新される。なお、発行装置の種類は、これらに限られない。また、工程毎に装置が分かれている必要はなく、カラー印刷及びグラフィクス印刷を一の発行装置で行うなど、複数の工程を一の発行装置で行ってもよい。
【００１８】
サーバ１０は、ＩＣカードの発行を管理するコンピュータであって、通信回線５０を介した通信を媒介する通信部１１、通信部１１に接続されているＩ／Ｏインターフェイス１２と、Ｉ／Ｏインターフェイス１２とバスで相互に接続されている制御部１３及び記憶部１４などとを備えている。
記憶部１４は、メモリ、ハードディスクなどの記憶装置であって、制御部１３の処理に必要なオペレーティングシステム、アプリケーションプログラムなどのプログラム及びデータを記憶している。
【００１９】
図３は、記憶部１４に記憶されている情報を説明する説明図である。
図３に示すように、記憶部１４は、ＩＣカードの発行するために設定の必要な複数の項目についての実現可能な仕様を記憶している（以下、「複数の項目についての実現可能な仕様」を「実現可能な発行仕様」という。）。複数の項目とは、ＩＣカードに搭載するＩＣチップの種類、不揮発性メモリの容量、オペレーティングシステムの種類、アプリケーションの種類、ＩＣカード券面に印刷する文字、エンボスの有無、インデントの有無、ＣＰの有無、ＵＧの有無などのＩＣカードについての仕様、発行するＩＣカードの部数、納期、各部署（営業部、技術部、発行部）の担当者名などである。また、エンボス有りの仕様の場合には、ＩＣカードの券面におけるエンボスの位置、行数など、各項目における実現可能な発行仕様は、上位から下位への項目への階層構造で分類され、記憶されている。従って、記憶部１４は、エンボスであれば、ＩＣカードに搭載することができるエンボスの行数、券面において配置できる範囲などの実現可能な発行仕様を記憶している。
【００２０】
また、記憶部１４は、排他的制限を記憶している。排他的制限とは、例えば、ＩＣカードの券面のある位置にエンボスが設定された場合には、同じ位置にＣＰを配置することができない、不揮発性メモリの項目において８Ｋｂｙｔｅが設定され、ＯＳの項目において「ＯＳＡ」が設定された場合には、「アプリＢ」のみしか搭載することができない、発行枚数がＭ万枚以上である場合には、納期がＮ日以上後になるなど、一の項目における実現可能な仕様が、他の項目において設定された仕様によって受ける制限である。また、記憶部１４は、実現可能なアンテナの種類を複数のパターンとして記憶し、この各パターンをエンボスの位置、行数などのエンボスの各仕様に関連づけて記憶している。従って、アンテナの仕様は、エンボスの仕様によって制限を受け、エンボスの仕様が設定されれば、アンテナの仕様が定まる。
【００２１】
更に、記憶部１４は、発行ＰＣ４０の記憶部４６と同様に、発行装置の仕様及び稼働情報を記憶している。
更にまた、記憶部１４は、履歴情報を記憶している。履歴情報とは、過去に行った発行についての仕様（以下、「発行仕様実績」という。）、工程（以下、「発行工程実績」という。）などの発行に関する実績である。発行仕様実績は、複数の項目についての仕様の組合せ実績であって、排他的制限の条件を満たしている実現可能な発行仕様である。営業担当者は、サーバ１０から営業ＰＣ２０に提供されるこの発行仕様実績を参考に発行仕様の入力を行う。
【００２２】
また、記憶部１４は、営業ＰＣ２０から入力される発行仕様と、この発行仕様によって設定される発行工程とを含む発行情報をそのままの状態（営業担当者が営業ＰＣ２０を用いて書き換え可能な状態）で記憶するとともに、ＰＤＦファイルに変換した状態で記憶している。このＰＤＦファイルに変換された発行情報は、通信回線５０を介してサーバ１０に接続されている営業ＰＣ２０、技術ＰＣ３０及び発行ＰＣ４０が読み出すことができるが、書き換えることはできない。発行工程は、いずれの発行装置でいつ処理を行うか、納期はいつかなどのＩＣカードの発行スケジュールであって、サーバ１０が技術ＰＣ３０、発行ＰＣ４０と通信を行うことによって受信する進捗状況によって更新される。
【００２３】
更にまた、記憶部１４は、仕様確認シートの入力フォームを記憶している。
図４は、仕様確認シートの入力フォームを説明するための説明図である。
図４に示すように、入力フォームは、サーバ１０から営業ＰＣ２０へ提供され、ディスプレイ２３に表示される電子フォームである。営業担当者は、コンボボックスのリストから仕様を選択する、任意の値を入力するなど、キーボード２２を操作することによって、発行仕様の入力を行う。つまり、入力フォームは、各項目において実現可能な仕様をリストとし、コンボボックスによって営業担当者による入力を制限し、ガイドする。なお、任意の値が入力可能な発行部数などの項目は、システムチェック（後述する図５のＳ１２０参照。）において実現可能か否かが判定される。
また、入力フォームは、各項目における上位概念から下位概念への仕様の入力を可能とする階層構造であって、例えば、エンボスの項目であれば、図４に示す入力フォームにおいて「エンボス有り」に設定した場合には、エンボスの行数、文字サイズ、位置などの下位概念の仕様を入力するための入力フォームがディスプレイ２３に表示される。
【００２４】
図２に示すように、制御部１３は、ＣＰＵなどを備え、サーバ１０全体を統括制御する。制御部１３は、営業ＰＣ２０から受信した要求に応じて、記憶部１４に記憶されているプログラムを実行することによって、発行仕様の入力のガイド、発行装置（稼働状況、仕様）の管理、履歴情報の管理、発行仕様の設定及び管理、発行工程の設定及び管理、ＰＤＦファイルの作成、メールの配信などの諸機能を実現する（詳細は、後述する図５から図９を参照。）。
発行仕様の入力のガイドとは、入力フォームを営業ＰＣ２０へ提供して入力可能な使用を制限する、発行仕様実績を入力の参考とするために営業ＰＣ２０へ提供する、また、営業ＰＣ２０から入力された発行仕様が実現可能であるか否かを判定し、その結果を営業担当者へ通知して再入力を促すために営業ＰＣ２０へ送信するなど、発行仕様の入力を行う場合に営業担当者に提供される案内、手引きである。
【００２５】
図５は、本発明によるＩＣカード発行設計システムの実施例における動作を示すフローチャートである。以下、サーバ１０（制御部１３）の処理を中心に説明する。
ステップ１００（以下、「ステップ」を「Ｓ」という。）において、営業担当者は、ＩＣカードの発行依頼を受け、営業ＰＣ２０の所定のアプリケーションを立ち上げる。営業ＰＣ２０は、サーバ１０にアクセスし、記憶部１４に記憶されている入力フォーム及び発行仕様実績を読み出す。営業担当者は、ディスプレイ２３に表示される発行仕様実績を参考にしながら、入力フォームに従って、キーボード２２を操作し、発行仕様を営業ＰＣ２０からＩＣカード発行設計システム１へ入力する（Ｓ１１０）。入力された発行仕様は、サーバ１０に送信される。制御部１３は、受信した発行仕様の各項目について、記憶している実現可能な発行仕様を参照して、実現可能であるか否かを判定するシステムチェックを行う（Ｓ１２０，Ｓ１３０）。否と判定した場合には、制御部１３は、その旨を営業ＰＣ２０へ送信し、営業ＰＣ２０は、否と判定された項目について再入力を要求する旨をディスプレイ２３に表示して通知し（Ｓ１８０）、同様の処理を繰り返す（Ｓ１１０からＳ１３０まで）。
【００２６】
Ｓ１３０において肯と判定した場合には、券面仕様Ｄが設定される（後述する図６から図９参照。）。制御部１３は、この券面仕様Ｄと、稼働情報と、発行工程実績と、発行装置の仕様などとを付き合わせ（Ｓ１４０）、発行工程を設定する（Ｓ１５０）。制御部１３は、設定した発行仕様及び発行工程を含む発行情報を記憶部１４へ記憶するとともに、これらをＰＤＦファイルへ変換し（発行仕様は、入力フォームに当て嵌めた状態で変換。）、記憶部１４へ記憶する（Ｓ１６０）。制御部１３は、営業ＰＣ２０、技術ＰＣ３０及び発行ＰＣ４０へ電子メールを送信し（Ｓ１７０）、各部の担当者（関係者）へ発行仕様の設定（Ｓ１１０，Ｓ１２０）、発行工程の設定（Ｓ１５０）があった旨を通知し、処理を終了する（Ｓ１９０）。
技術担当者、発行担当者は、それぞれ技術ＰＣ３０、発行ＰＣ４０でサーバ１０にアクセスし、記憶部１４に記憶されている発行情報（ＰＤＦファイル）を読み出し、設定された仕様及び発行工程を確認する。なお、この発行情報に訂正などがある場合には、技術担当者、発行担当者は、電子メールで営業担当者にその旨を通知する。
【００２７】
ここで、システムチェックについてより具体的に説明する。
図６、図７、図８及び図９は、ＩＣカードの券面に関する項目についてのシステムチェック（図５のＳ１２０）を示すフローチャートであり、図６はエンボス（ＥＢ）、図７はインデント（署名欄の印字）、図８はＣＰ（Ｃｏｌｏｒ  Ｐｏｒｔｒａｉｔ）、図９はＵＧ（Ｕｌｔｒａ  Ｇｒａｆｉｘ）の仕様についてシステムチェックを行う手順を示し、制御部１３は、図６から図９の順に処理を行う。なお、処理を行う順は、これに限られない。
図６に示すように、Ｓ２１０において、制御部１３は、図５のＳ１１０において入力された発行仕様に基づいて、エンボスの有無を確認する。制御部１３は、エンボス有りの場合にはその位置などの下位の仕様を確認し（Ｓ２２０）、記憶部１４に記憶されている実現可能な発行仕様、排他的制限、券面に関する他の項目の仕様を参照し（Ｓ２３０）、図５のＳ１１０において入力されたエンボスについての仕様が実現可能であるか否かを判定する（Ｓ２４０）。制御部１３は、否と判定した場合には、再入力（図５のＳ１１０）される仕様について同様の処理を行う（Ｓ２２０からＳ２４０まで）。肯と判定した場合には、制御部１３は、図５のＳ１１０において入力された発行仕様に基づいて、カナ文字のエンボスの有無を確認し（Ｓ２５０。この確認結果に基づいて、制御部１３は、使用するエンボス装置を選択する。）、券面におけるエンボスの仕様（券面仕様Ａ）が設定される（Ｓ２６０）。
【００２８】
図７に示すように、Ｓ３１０において、制御部１３は、図５のＳ１１０において入力された発行仕様に基づいて、インデントの有無を確認する。制御部１３は、インデント有りの場合には、インデントの方向（順方向又は逆方向）を確認する（Ｓ３１５）。発行装置は、インデント及びＥＢを同時に行っているため、インデントが逆方向の場合には、インデント及びＥＢが別工程となる。なお、図８で示すＣＰの仕様についても同様であって（図示しない。）、逆方向の場合には、ＣＰが別工程となる。
また、制御部１３は、インデントの位置などの下位の仕様を確認し（Ｓ３２０）、実現可能な発行仕様、排他的制限、図６のＳ２６０において設定されたエンボスの仕様（券面仕様Ａ）を参照し（Ｓ３３０）、図５のＳ１１０において入力されたインデントについての仕様が実現可能であるか否かを判定する（Ｓ３４０）。否と判定した場合には、制御部１３は、再入力される（図５のＳ１１０）仕様について同様の処理を行う（Ｓ３２０からＳ３４０まで）。肯と判定した場合には、券面におけるエンボス及びインデントの仕様（券面仕様Ｂ）が設定される（Ｓ３５０）。
【００２９】
同様に、図８に示すように、制御部１３は、Ｓ４１０において、ＣＰの有無を確認し、ＣＰ有りの場合には、ＩＣカードのいずれの面か、位置などの下位の仕様を確認し（Ｓ４２０，Ｓ４３０）、実現可能な発行仕様、排他的制限、図７のＳ３５０において設定された券面仕様Ｂを参照し（Ｓ４４０）、図５のＳ１１０において入力されたＣＰについての仕様が実現可能であるか否かを判定する（Ｓ４５０）。制御部１３は、否と判定した場合には、再入力される（図５のＳ１１０）仕様について同様の処理を行う（Ｓ４３０からＳ４５０まで）。肯と判定した場合には、制御部１３は、ＣＰの位置に基づいてＣＰ表面に施されるラミネートの範囲を確認し（Ｓ４６０。ラミネートの範囲内にＵＧを施すことは原則できず、この設定されたラミネートの範囲は、ＵＧの位置を制限する。但し、ラミネートを貼る前（ＩＣ発行の前工程）にＵＧを行い、ＵＧに重ねてラミネートを行うなど工程を変更することによって可能となる。）、券面におけるエンボス、インデント及びＣＰの仕様（券面仕様Ｃ）が設定される（Ｓ４７０）。
【００３０】
同様に、図９に示すように、制御部１３は、Ｓ５１０において、ＵＧの有無を確認し、ＵＧ有りの場合には、ＩＣカードの表裏一方の面又は両面か、位置などの下位の仕様を確認し（Ｓ５２０，Ｓ５３０）、実現可能な発行仕様、排他的制限、図８のＳ４７０において設定された券面仕様Ｃを参照し（Ｓ５４０）、図５のＳ１１０において入力されたＵＧについての仕様が実現可能であるか否かを判定する（Ｓ５５０）。制御部１３は、否と判定した場合には、再入力される（図５のＳ１１０）仕様について同様の処理を行う（Ｓ５３０からＳ５５０まで）。肯と判定した場合には、券面におけるエンボス、インデント、ＣＰ及びＵＧの仕様（券面仕様Ｄ）が設定される（Ｓ５６０）。
【００３１】
このように実施例によれば、ＩＣカード発行設計システム１は、仕様確認シートの入力フォームのコンボボックスによって、営業担当者による入力を実現可能な発行仕様に制限し、ガイドするため、営業担当者が容易にＩＣカード発行の仕様の設定を行い、利便性を向上することが可能となった。
また、ＩＣカード発行設計システム１は、営業担当者が入力フォームへの入力を行う場合に参考となる発行仕様実績をディスプレイ２３に表示し、ガイドするため、より一層容易にＩＣカード発行の仕様の設定を行うことが可能となった。
更に、ＩＣカード設計システム１は、サーバ１０が記憶部１４に記憶されている実現可能な発行仕様、排他的制限などに基づいて、入力された仕様が実現可能であるか否かを判定し、否の場合には、その旨を営業担当者へ通知し、営業担当者の入力をガイドするため、任意の値を入力して仕様を設定する項目であっても、容易に仕様の設定を行うことが可能となった。
更にまた、ＩＣカード設計システム１は、発行装置の仕様及び稼働情報、発行工程実績、入力された発行仕様に基づいて、発行工程の設定を行うため、営業担当者が正確な発行工程を容易に設定することが可能となった。
また、ＩＣカード設計システム１は、発行情報をＰＤＦファイルとしてサーバ１０に記憶するため、各部署の担当者などの複数の者が発行情報を共有するとともに、手違いによる書き換えなどを防止し、正確な発行情報を共有することが可能となった。
【００３２】
（変形例）
以上説明した実施例に限定されることなく、種々の変形や変更が可能であって、それらも本発明の均等の範囲内である。例えば、サーバ１０は、記憶部１４に実現可能な発行仕様、排他的制限、発行装置の仕様、稼働情報、履歴情報、発行情報、仕様確認シートの入力フォームなどを記憶しているが、これらの情報を複数のサーバに分けて記憶し、管理していてもよい。同様に、サーバ１０（制御部１３）が有する機能を複数のサーバが分けて備えていてもよい。
【００３３】
また、営業ＰＣ２０が、サーバ１０が記憶しているこれらの情報の全て又は一部を記憶し、サーバ１０又は発行ＰＣ４０と通信を行うことによって情報の更新を行ってもよく、サーバ１０が有する機能を備えていてもよい。例えば、営業ＰＣ２０がシステムチェック（図５のＳ１２０）、行程設定（図５のＳ１５０）などの機能を備えることによって、定期的にサーバ１０などと更新のための通信を行うだけで、携帯型のコンピュータによって依頼先で発行仕様の入力、発行工程の設定を行うことができ、利便性が向上する。
つまり、ＩＣカード発行設計システム１において、サーバ１０に記憶されている情報が記憶され、サーバ１０が有する機能が備えられていれば、いずれのコンピュータに情報が記憶され、機能が備えられているかは限定されない。
【００３４】
営業ＰＣ２０は、依頼先に設置されているコンピュータである依頼先ＰＣであってもよい。依頼先ＰＣが営業ＰＣ２０と同様の機能を備えていればよく、依頼主が発行仕様を入力することができ、営業担当者の負担を軽減することが可能となる。
【００３５】
サーバ１０は、営業ＰＣ２０に入力フォームを提供することによって、入力可能な仕様を制限して、営業担当者の仕様の入力をガイドするとともに、営業ＰＣから入力された仕様が実現可能か否かを判定し（図５のＳ１２０，Ｓ１３０）、その結果を通知する（図５のＳ１７０）ことによってガイドを行っているが、例えば、営業担当者がエンボスの位置を入力する場合に、配置可能な範囲内の位置のみを入力可能とするなど、入力可能な仕様を制限することのみによってガイドを行ってもよい。実現可能か否かの判定（図６のＳ２４０）を行う必要がなくなり、処理の簡易化を図ることが可能となる。
【００３６】
サーバ１０は、発行仕様実績を営業担当者に表示（通知）することによって仕様の入力をガイドしているが、例えば、エンボスの配置可能な範囲などの実現可能な仕様、排他的制限を表示（通知）することによってガイドを行ってもよい。
【図面の簡単な説明】
【００３７】
【図１】ＩＣカード発行設計システムの構成を説明するための説明図である。
【図２】ＩＣカード発行設計システムの構成を示すブロック図である。
【図３】記憶部１４に記憶されている実現可能な仕様を説明する説明図である。
【図４】仕様確認シートの入力フォームを説明するための説明図である。
【図５】ＩＣカード発行設計システムの動作を示すフローチャートである。
【図６】エンボスの仕様についてのシステムチェックを示すフローチャートである。
【図７】インデントの仕様についてのシステムチェックを示すフローチャートである。
【図８】ＣＰの仕様についてのシステムチェックを示すフローチャートである。
【図９】ＵＧの仕様についてのシステムチェックを示すフローチャートである。
【符号の説明】
【００３８】
１  ＩＣカード発行設計システム
１０  サーバ
１１  通信部
１２  Ｉ／Ｏインターフェイス
１３  制御部
１４  記憶部
２０  営業ＰＣ
２２  キーボード
２３  ディスプレイ
３０  技術ＰＣ
４０  発行ＰＣ
５０  通信回線
【図１】
2005070925.tif 000003
【図２】
2005070925.tif 000004
【図３】
2005070925.tif 000005
【図４】
2005070925.tif 000006
【図５】
2005070925.tif 000007
【図６】
2005070925.tif 000008
【図７】
2005070925.tif 000009
【図８】
2005070925.tif 000010
【図９】
2005070925.tif 000011